(57)【要約】【課題】光コネクタプラグの長さを短くすると共に、後方の空間的余裕が少なくても済むようにする。【解決手段】  ブーツ１１のケーブル挿通孔１１ａの端部１１ｄは丸く面取りされているので、一点鎖線で示すように光ファイバケーブル１０をこの面取りに沿って任意の側方に屈曲できる。従って、光コネクタプラグの後方の空間に余裕がなくとも、相手側プラグとの接続が可能となる。【選択図】図１５
2011022526.tif 000002
【特許請求の範囲】
【請求項１】
光ファイバケーブルを保持するための保持金具と、前記光ファイバケーブルの先端のファイバ芯線を保持するフェルールと、該フェルールと前記保持金具とを保持するプラグフレームと、前記保持金具に固定しその周囲を覆い保持する硬質の合成樹脂製のブーツと、前記プラグフレーム、前記ブーツを覆う把持部材とを有し、前記ブーツのケーブル挿通孔の後端を前記光ファイバケーブルを該後端に沿って屈曲できるように面取りしたことを特徴とする光コネクタプラグ。
【請求項２】
前記ケーブル挿通孔の後端を丸く面取りしたことを特徴とする請求項１に記載の光コネクタプラグ。
【発明の詳細な説明】
【技術分野】
【０００１】
本発明は、光ファイバケーブル同士を接続するための光コネクタプラグに関するものである。
【背景技術】
【０００２】
一般に、光通信等に用いられる光ファイバケーブルを接続する光コネクタプラグの後部には、例えば引用文献１のように、合成ゴム等の可撓性を有するブーツを取り付け、光ファイバケーブルの曲げを規制し、性能の安定化を図っている。
【先行技術文献】
【特許文献】
【０００３】
【特許文献１】特開２００６−２７６７８２号公報
【発明の概要】
【発明が解決しようとする課題】
【０００４】
しかし上述の従来のブーツの使用は、コストが高くなると共に、全長が長くなり、奥行が狭い場所では使い難いという問題点がある。
【０００５】
本発明の目的は、上述の課題を解消し、安価で狭い空間でも使用できる光コネクタプラグを提供することにある。
【課題を解決するための手段】
【０００６】
上記目的を達成するための本発明に係る光コネクタプラグは、光ファイバケーブルを保持するための保持金具と、前記光ファイバケーブルの先端のファイバ芯線を保持するフェルールと、該フェルールと前記保持金具とを保持するプラグフレームと、前記保持金具に固定しその周囲を覆い保持する硬質の合成樹脂製のブーツと、前記プラグフレーム、前記ブーツを覆う把持部材とを有し、前記ブーツのケーブル挿通孔の後端を前記光ファイバケーブルを該後端に沿って屈曲できるように面取りしたことを特徴とする。
【発明の効果】
【０００７】
本発明に係る光コネクタプラグによれば、後方直後において光ファイバケーブルの屈曲を可能としたので、後方における空間的余裕が少なくても済む。
【図面の簡単な説明】
【０００８】
【図１】保持金具と管金具を上方から見た斜視図である。
【図２】保持金具を下方から見た斜視図である。
【図３】光ファイバケーブルの斜視図である。
【図４】光ファイバケーブルに保持金具等を挿通した状態の斜視図である。
【図５】ブーツの断面図である。
【図６】ファイバ芯線をフェルールに取り付けた状態の斜視図である。
【図７】ファイバ芯線をフェルールに取り付けた状態の断面図である。
【図８】プラグフレームの斜視図である。
【図９】フェルールにプラグフレームを取り付けた状態の斜視図である。
【図１０】フェルールにプラグフレームを取り付けた状態の断面図である。
【図１１】管金具を所定位置に配置した斜視図である。
【図１２】かしめ部をかしめた状態の斜視図である。
【図１３】ブーツを所定位置に移動した状態の斜視図である。
【図１４】把持部材を取り付けた完成状態の斜視図である。
【図１５】完成状態の断面図である。
【発明を実施するための形態】
【０００９】
本発明を図示の実施例に基づいて詳細に説明する。
図１は光ファイバを保持する保持金具１と管金具２を上方から見た斜視図、図２は保持金具１を下方から見た斜視図を示している。保持金具１は１枚の例えば黄銅から成る導電金属板を打ち抜いて形成され、保持金具１の前部には後述するフェルールを周囲から包囲する円筒部３、円筒部３の後方の底部には管金具２の前方への位置決めをするための位置決め突起４、中間部には光ファイバケーブルの外被部の端部を管金具２と共にかしめ止める管金具かしめ部５、後部には光ファイバケーブルの外被部をかしめ止める外被かしめ部６が設けられている。
【００１０】
円筒部３には一部を内側に折り曲げたばね係止部３ａ、側部には後述するプラグフレームに対するフレーム係止部３ｂが設けられている。管金具かしめ部５は断面略Ｕ字状のかしめ片５ａ、５ｂを有し、管金具かしめ部５の底部には長手方向と直交する方向に、例えば２個の矩形状のスリット孔５ｃが設けられている。また外被かしめ部６には、かしめ片５ａ、５ｂよりも稍々小さな断面略Ｕ字状のかしめ片６ａ、６ｂが設けられている。かしめ片６ａ、６ｂの管金具かしめ部５側には、後述するブーツに対するブーツ係止部７が形成されている。
【００１１】
一方、管金具２は例えば変形し難いようにＳＵＳから成る円筒形とされ、光ファイバケーブルの外被部を挿通し、保持金具１の管金具かしめ部５により光ファイバケーブルのファイバ芯線に沿って備えられた抗張力繊維を共働してかしめ止めする。なお、管金具２の後端部にはフランジ部２ａが上半部のみに形成されている。
【００１２】
保持金具１に光ファイバケーブルを固定するには、図３に示すように光ファイバケーブル１０の先端における外被部１０ａを切り取り、先端から光ファイバ１０ｂと例えば石英系ガラスファイバから成るファイバ芯線１０ｃを露出させると共に、外被部１０ａの切断面から光ファイバ１０ｂに沿って配置されている補強用の抗張力繊維１０ｄを引き出しておく。
【００１３】
光コネクタプラグを組立てるには、図４に示すように、光ファイバケーブル１０の先端側から、ブーツ１１、管金具２、保持金具１の円筒部３、圧縮コイルばね１２の順に挿通する。
【００１４】
ブーツ１１は保持金具１のかしめ部５、６に周設し保護するための硬質の合成樹脂材から成り、図５の断面図にも示すように、略角筒形とされ軸方向の中心にはケーブル挿通孔１１ａが設けられている。ブーツ１１の前端上方には前方に向けて庇部１１ｂが張り出され、両側部には係止凹部１１ｃが設けられ、ブーツ１１の後部のケーブル挿通孔１１ａの端部１１ｄは丸く面取りされ、光ファイバケーブル１０を任意の方向に曲げて引き出し得るようにされている。
【００１５】
圧縮コイルばね１２は保持金具１の円筒部３と光ファイバケーブル１０の間の隙間に配置され、後端部が円筒部３のばね係止部３ａに係止され、後述するフェルールを前方に付勢するために用いられている。
【００１６】
ファイバ芯線１０ｃは図６、図７に示すようにフェルール１３の挿通孔１３ａに挿入されると共に接着により固定されている。フェルール１３の前端部は例えばセラミック材から形成され、後端部の金属部材から成る円柱部１３ｂに圧縮コイルばね１２が周設され、段部に圧縮コイルばね１２の前端部が当接するようにされている。ファイバ芯線１０ｃを挿通孔１３ａに挿入した後に、ファイバ芯線１０ｃの先端がフェルール１３の先端と面一となるように、カッタなどで切断加工する。
【００１７】
図８に示す合成樹脂製から成るプラグフレーム１４の内部には、フェルール１３を収容する円筒部が設けられ、外側は略角筒形とされている。また、プラグフレーム１４の側部には前方突起１４ａ、後方突起１４ｂ、係止孔１４ｃが設けられている。
【００１８】
図９に示すように、このプラグフレーム１４によりフェルール１３を覆うと、係止孔１４ｃが保持金具１のフレーム係止部３ｂに係止して保持金具１に固定され、ファイバ芯線１０ｃを保持するフェルール１３が圧縮コイルばね１２に押されてプラグフレーム１４の先端から突出する。
【００１９】
つまり、図１０に示すように、フェルール１３の前方の段部がプラグフレーム１４の内側突起１４ｄに当接し、圧縮コイルばね１２がフェルール１３の円柱部１３ｂの段部と保持金具１のばね係止部３ａとの間に配設され、フェルール１３を前方に付勢する。なお、この際に光ファイバケーブル１０の抗張力繊維１０ｄは、保持金具１の管金具かしめ部５上に折り返しておく。
【００２０】
管金具２は図１１に示すように、その前端が保持金具１の位置決め突起４に係止するように、前方の管金具かしめ部５上に移動させる。このとき、抗張力繊維１０ｄを管金具かしめ部５と管金具２の外面の下側の長手方向に沿って位置させる。
【００２１】
図１２に示すように、管金具かしめ部５のかしめ片５ａ、５ｂを折り畳み、抗張力繊維１０ｄを管金具２との間に挟んで管金具２を治具により強固にかしめる。そのとき、管金具２のフランジ部２ａはかしめ片５ａ、５ｂの後端に配置され、位置決め突起４と共働して管金具２の前方への移動が規制される。また、強度の大きい管金具２は変形することなくかしめ止めされ、抗張力繊維１０ｄが管金具かしめ部５の２つのスリット孔５ｃに喰い込み、同時に外被かしめ部６のかしめ片６ａ、６ｂにより、光ファイバケーブル１０の外被部１０ａがかしめられて固定される。
【００２２】
このようにして、光ファイバケーブル１０は２つのかしめ部５、６により固定され、特に抗張力繊維１０ｄを管金具２と保持金具１の間に挟み込んでかしめるので、光ファイバケーブル１０の保持金具１に対する前後方向への移動が確実に防止される。
【００２３】
続いて、図１３に示すように、ブーツ１１を光ファイバケーブル１０に沿って前方に移動し、庇部１１ｂの先端をプラグフレーム１４の後部に突き当て、庇部１１ｂによりかしめ部５、６を覆う。保持金具１の係止部７がブーツ１１の係止凹部１１ｃに係止することにより、ブーツ１１の前後方向への移動が防止される。
【００２４】
更に、図１４、図１５に示すように、合成樹脂製の把持部材１５はプラグフレーム１４及びブーツ１１の前端を覆うように取り付ける。把持部材１５は長形の略四角枠とされ、前部の両側面部には大小２つの矩形孔を連結した係止孔１５ａが設けられ、更に後部の両側面部には把持部１５ｂが設けられ、把持部１５ｂには周方向に指に対する滑り止めのための複数の溝が設けられている。
【００２５】
把持部材１５はプラグフレーム１４に対し若干前後移動可能とされている。つまり、プラグフレーム１４の側部に設けた前方突起１４ａ、後方突起１４ｂが把持部材１５の係止孔１５ａに係合して、把持部材１５はプラグフレーム１４に対する前方及び後方に制限された所定範囲内で移動可能とされている。
【００２６】
この光ファイバコネクタを相手側プラグと接続するには、先ず把持部材１５の把持部１５ｂを掴んで相手側プラグを持ち挿し込む。フェルール１３は一旦は圧縮コイルばね１２のばね付勢力に抗して後退し、その後に停止した状態でフェルール１３は相手側プラグに差し込まれて、ファイバ芯線１０ｃが相手側のファイバ芯線と光学的に接続されることになる。
【００２７】
このとき、ブーツ１１のケーブル挿通孔１１ａの端部１１ｄは丸く面取りされているので、図１５の一点鎖線で示すように光ファイバケーブル１０をこの面取りに沿って任意の側方に屈曲できる。従って、光コネクタプラグの後方の空間に余裕がなくとも、相手側プラグとの接続が可能となる。
【００２８】
一方、光コネクタプラグの相手側プラグへの接続を解除するときには、把持部材１５を持ち相手側プラグから引き抜けばよい。
【符号の説明】
【００２９】
１  保持金具
２  管金具
３  円筒部
４  位置決め突起
１０  光ファイバケーブル
１０ｂ  光ファイバ
１０ｃ  ファイバ芯線
１１  ブーツ
１２  圧縮コイルばね
１３  フェルール
１４  プラグフレーム
１５  把持部材
【図１】
2011022526.tif 000003
【図２】
2011022526.tif 000004
【図３】
2011022526.tif 000005
【図４】
2011022526.tif 000006
【図５】
2011022526.tif 000007
【図６】
2011022526.tif 000008
【図７】
2011022526.tif 000009
【図８】
2011022526.tif 000010
【図９】
2011022526.tif 000011
【図１０】
2011022526.tif 000012
【図１１】
2011022526.tif 000013
【図１２】
2011022526.tif 000014
【図１３】
2011022526.tif 000015
【図１４】
2011022526.tif 000016
【図１５】
2011022526.tif 000017